(57)【要約】【課題】  色の厳密性を要求しないデータの印刷時には、キャリブレーションによる印刷の遅延を防止することを目的とする。【解決手段】  ホストコンピュータから送信された印刷データを出力する手段、印刷特性を所定のものとするキャリブレーションを行う手段、データの処理とキャリブレーションの実行を平行して行う手段、キャリブレーションが必須でないデータの印刷時かどうかを判定する手段、キャリブレーションが必須でないと判定された場合にはキャリブレーションを中断する手段で構成されたカラー印刷装置。【選択図】        図１
2005132030.tif 000002
【特許請求の範囲】
【請求項１】
ホストコンピュータ等からの印刷データを出力するために、印刷特性を所定のものとするキャリブレーションを行う手段を有し、予め決められた条件に合致した場合、キャリブレーションを行うカラー印刷装置において、
データの入力および解析処理とキャリブレーションの実行を並行して行う手段を有し、
データ解析処理の結果、キャリブレーションが必須でないデータであると判断された場合には、キャリブレーションの実行を中断する手段を有し、
印刷データの出力を優先して行うことを特徴とするカラー印刷装置。
【請求項２】
データ解析処理において、キャリブレーションが必須でないデータであると判断するのは、白黒印刷データであると判断された場合であることを特徴とする請求項１記載のカラー印刷装置。
【請求項３】
データ解析処理において、キャリブレーションが必須でないデータであると判断するのは、文字データのみで構成されたデータであると判断された場合であることを特徴とする請求項１記載のカラー印刷装置。
【請求項４】
データ解析処理において、ドラフト印刷であることを示す情報を検出した場合には、キャリブレーションが必須でないデータであると判断することを特徴とする請求項１記載のカラー印刷装置。
【請求項５】
ホストコンピュータ等からのカラーの登録データを装置内に記憶し管理する手段、および、記憶されたカラーの登録データを、印刷データと重ね合わせて出力する手段を有し、
カラーの登録データ記憶時に、キャリブレーションが必須でないデータであるかどうかの情報も合わせて記憶・管理する手段を有し、
文字データと、前記登録データのうちキャリブレーションが必須でない登録データのみで構成されたデータについては、キャリブレーションが必須でないデータであると判断することを特徴とする請求項１記載のカラー印刷装置。
【発明の詳細な説明】
【技術分野】
【０００１】
本発明は、カラー印刷装置に関し、詳しくは、印刷装置における印刷特性を所定のものとするためのキャリブレーションに関するものである。
【背景技術】
【０００２】
従来の印刷装置、特に、カラーレーザビームプリンタ（以下、単に「ＬＢＰ」ともいう）等ではフルカラーの画像を印刷する場合に色合いや階調性を好ましい所定のものに維持するためにキャリブレーションが行われることが知られている。これは、印刷装置における部品の経年変化、トナーの使用量、印刷した枚数、さらには、温度，湿度等の印刷装置がおかれた環境の変化もしくは相違等、様々な要因によって印刷特性が変化することがあるからである。
【０００３】
上述のＬＢＰのような印刷装置で行なわれるキャリブレーションは、通常、起動時、印刷を開始してからの経過時間や印刷した用紙の枚数に応じた一定周期もしくは一定条件で行われる。すなわち、印刷ジョブを受信したとき、もしくは、印刷開始時に実行する。
【０００４】
また、このキャリブレーションの内容は、上述のＬＢＰの場合、感光ドラム上もしくは中間転写体上にトナーによって形成したパッチ像の濃度を光学センサによって読取り、これに基づいて画像データを処理する際に用いる出力γ補正テーブル等のデータを変更，更新するものである。
【０００５】
このような、カラー印刷装置では、キャリブレーションを行う条件を満たしていれば、印刷データの内容にかかわらず、色調整処理を実行していたため、色調整処理を行わなくても、要求される印刷品位のレベルを充分満たすものと考えられる白黒印刷ジョブでも、キャリブレーションの実行を行っていた。このため、モノクロ画像印刷を、印刷品位をそれ程高いものを必要とせずに実行したいユーザにとっては、キャリブレーションが実行されることによって印刷結果を得るまでの時間が長くなるという問題があった。このような問題を解決するべく、印刷データが白黒データであった場合には、色調整処理を行わないような提案もされている。
【０００６】
しかしながら、印刷データが白黒データであった場合には色処理を行わないよう構成した場合には、データ処理終了後印刷時に開始されるキャリブレーションは中止できるが、データ処理に先立って始まったキャリブレーションについては、キャリブレーションの処理を優先していたために、簡単な白黒データを印刷する場合にも、色調整処理の終了を待たなければならなかった。
【特許文献１】特開平７−２６１４７９号公報
【発明の開示】
【発明が解決しようとする課題】
【０００７】
本発明においては、カラー印刷装置において白黒印刷ジョブを受信したときに、色調整処理による印刷時間の遅延を防ぐことができ、さらに、白黒印刷ジョブだけでなく、色調整処理を行わなくても、出力結果に色の厳密性を要求しない、文字を中心としたデータやドラフト印刷についても色調整処理による印刷時間の遅延を防ぐことができるカラー印刷装置を提供することを目的とするものである。
【課題を解決するための手段】
【０００８】
本発明は、ホストコンピュータ等からの印刷データを出力するために、印刷特性を所定のものとするキャリブレーションを行う手段を有し、予め決められた条件に合致した場合、キャリブレーションを行うカラー印刷装置において、
データの入力および解析処理とキャリブレーションの実行を並行して行う手段を有し、
データ解析処理の結果、キャリブレーションが必須でないデータ、すなわち、白黒データ、文字データのみのデータ、ドラフト印刷、キャリブレーションの必要なしという情報と共に登録されている登録データであると判断された場合には、キャリブレーションの実行を中断する手段を有し、
印刷データの出力を優先して行うカラー印刷装置である。
【発明の効果】
【０００９】
本発明によって、色の厳密性を要求しないデータの印刷時には、キャリブレーションによる印刷の遅延を防止することができる。
【発明を実施するための最良の形態】
【００１０】
以下、図面を参照して本発明の実施形態を詳細に説明する。
【００１１】
〈第１の実施形態〉
図１は、本発明の一実施形態に係る印刷装置としてのカラーレーザビームプリンタの構成を示すブロック図である。
【００１２】
図１に示すように、本実施形態のカラーレーザビームプリンタ（以下、単に「ＬＢＰ」ともいう）１０３０は、パーソナルコンピュータ等、情報処理装置としてのホストコンピュータ１００１と通信線１００２を介して接続され、印刷システムを構成する。ＬＢＰ１０３０において、プリンタコントローラ１０３１は、本プリンタ全体の動作制御やデータ処理を実行する制御ユニットである。すなわち、プリンタコントローラ１０３１は、この制御ユニット全体におけるデータ処理を制御するＣＰＵ１０３３、ＣＰＵ１０３３の上記制御の処理手順を記述したプログラムを格納するプログラムＲＯＭ１０３４、およびＣＰＵ１０３３による上記制御において、制御コードやデータの解釈、印刷に必要な演算、さらには印刷データの処理等のためのワークエリアとして用いられるＲＡＭ１０３５を有して上記動作制御やデータ処理を実行することができる。
【００１３】
プログラムＲＯＭ１０３４には、図に示すように、ホストコンピュータ１００１からの印刷データに基づいて、後述するような所定の画像処理を行い本プリンタで印刷する画像オブジェクトを生成する処理プログラムである画像情報生成１０４１、この画像情報生成１０４１の処理における所定のテーブルデータを更新するための、図３等で後述されるキャリブレーションの実行を制御する処理プログラムである色調整実行／中断１０４４、および印刷の片面印刷または両面印刷の制御およびユーザの指定による給紙口，排紙口の設定を行う処理プログラムである給排紙口設定１０４２も格納されている。
【００１４】
また、プリンタコントローラ１０３１は、以上の構成によって、ホストコンピュータ１００１から送られる印刷データに基づいた印刷処理を実行するが、この際、入出力バッファ１０３２は、ホストコンピュータ１００１との間のデータの入出力を制御するホストＩ／Ｆ部１０４８を介して入出力されるデータを一時的に格納する。さらに、ビットマップ画像展開／転送部１０４０は、画像処理生成１０４１によって生成された画像オブジェクトをビットマップ画像に展開し、エンジンＩ／Ｆ部１０４６を介して印刷エンジン部１０３６へ転送する。
【００１５】
ＬＢＰ１０３０またはそのプリンタコントローラ１０３１は、以上の構成の他、ユーザが本プリンタに関する種々の操作を行うための操作パネル部１０３７、この操作パネル部１０３７とプリンタコントローラ１０３１との信号接続を行うためのパネルＩ／Ｆ部１０４７、また、印刷データや本プリンタの様々な情報等の保存に利用される、フレキシブルディスク等の外部メモリ部１０３８とこの外部メモリ部１０３８とプリンタコントローラ１０３１とのデータ接続を行うためのメモリＩ／Ｆ部１０３９、さらに上述した各要素間をつなぐシステムバス１０４３を有している。
【００１６】
図２は、上述したカラーレーザビームプリンタ１０３０の主に印刷エンジン部１０３６の機構を示す模式的断面図である。
【００１７】
カラーレーザビームプリンタ１０３０は、図２に示すように、筐体２００１の内部に、印刷エンジン部１０３６を構成するための各要素が格納されている。また、図１にて上述したプリンタコントローラ１０３１および印刷エンジン部１０３６における各要素によるそれぞれの印刷プロセス処理（例えば、給紙処理など）を制御するエンジン制御部１０４９を構成した制御ボードを収納する制御ボード収納部２００３も筐体２００１内に設けられている。
【００１８】
印刷エンジン部１０３６を構成する機構として、レーザ光によって感光ドラム２００５上に静電潜像を形成し、その静電潜像を顕像化し、その顕像を中間転写体２０１０に多重転写し、多重転写されたカラー画像を転写材（印刷用紙）２０２７へ更に転写する処理を行う光学処理機構、転写材２０２７に転写されたトナー像を定着させるための定着機構、印刷用紙２０２７の給紙機構、印刷用紙２０２７の搬送機構がそれぞれ設けられている。
【００１９】
光学処理機構は、レーザスキャナ部２０２０を有し、そのレーザドライバ２００６は、プリンタコントローラ１０３１から供給されたビットマップイメージデータに応じて半導体レーザ（図示せず）をオン、オフ駆動し、これによって半導体レーザから発射されたレーザ光は回転多面鏡２００７に入射し主走査方向に振られる。そして、その主走査方向に振られたレーザ光は反射ミラー２００８を介して感光ドラム２００５に導かれ、感光ドラム２００５上を主走査方向に露光走査する。感光ドラム２００５は、ドラムユニット２００４の一次帯電器２０２３によって予め帯電されており、上述のレーザ光による露光走査によって感光ドラム２００５上には静電潜像が形成される。その潜像は現像ロータリ２０１１の各色現像器２０１２Ｙ，２０１２Ｍ，２０１２Ｃまたは黒現像器２０１２Ｋから供給されるトナーによってトナー像に顕像化され、さらにこのトナー像は、トナー像とは逆特性の電圧が印加されることによって感光ドラム２００５上から中間転写体２０１０上に転写される。
【００２０】
カラー画像形成時には、中間転写体２０１０の１回転毎に、感光ドラム２００５と関連して現像ロータリ２０１１が回転し、それぞれイエロー現像器２０１２Ｙ，マゼンタ現像器２０１２Ｍ，シアン現像器２０１２Ｃ、次いで黒現像器２０１２Ｋの順で上述の現像工程がなされる。すなわち、中間転写体２０１０は、４回転し、その回転中にイエロー、マゼンタ、シアン、黒のそれぞれの可視像が順次形成される。なお、この場合、これらの可視像の形成毎に転写材が繰り返し搬送されてフルカラー画像が印刷される。一方、モノクロ画像形成時は、黒現像器２０１２Ｋのみで現像工程がなされ、中間転写体２０１０が１回転して黒の可視像が形成され、モノクロ可視像が中間転写体２０１０上に形成される。
【００２１】
中間転写体２０１０上に形成されたトナー像は、レジストシャッタ２０２８によってその搬送を待機させておいた転写材２０２７が搬送転写位置に搬送されることによって転写が行われる。すなわち、給紙処理機構により、中間転写体２０１０の回転に同期して給紙、搬送される転写材２０２７を転写ローラ２０１３によって中間転写体２０１０に圧接すると同時に、この転写ローラ２０１３にトナーと逆特性の電圧を印加することにより、中間転写体２０１０上のトナー像が転写材２０２７に転写される。
【００２２】
以上の機構において、感光ドラム２００５や各色の現像器、すなわちイエロー現像器２０１２Ｙ，マゼンタ現像器２０１２Ｍ，シアン現像器２０１０Ｃ，黒現像器２０１２Ｋは着脱可能に設けられており、黒以外の現像器は、現像ロータリ２０１１内に設けられている。また、反射ミラー２００８は半透過型ミラーであり、その裏面側にはビームディテクタ２００９が配置されている。ビームディテクタ２００９はレーザ光を検出し、その検出信号はプリンタコントローラ１０３１に与えられる。プリンタコントローラ１０３１は、このビームディテクタ２００９の検出信号に基づき主走査方向への露光タイミングを定める水平同期信号を生成し、その水平同期信号はエンジン制御部１０４９へ出力される。さらに、クリーナ２０２２は、感光ドラム２００５上の残存トナーを取り除き、この取り除かれたトナーは、ドラムユニット２００４内に廃トナーとして貯えられる。前露光ランプ２０２１は、感光ドラム２００５を光除電するものである。
【００２３】
転写材２０２７へのトナー像の転写の際に、転写材２０２７を押圧する転写ローラ２０１３は、図中、上下方向に移動可能に設けられており、また、この移動を駆動する機構を設けられている。これにより、中間転写体２０１０に４色の各トナー像が形成される間、その形成された画像を乱さないように、図中、実線で示す下方に位置し、中間転写体２０１０とは離隔されている。中間転写体２０１０に各色のトナー像の形成が終わった後、転写材２０２７にカラー画像を転写するタイミングでは、転写ローラ２０１３は上記駆動機構における不図示のカム部材により図中、破線で示す上方の位置に移動させられる。すなわち、転写材２０２７を介して中間転写体２０１０に所定の圧力で押し付けられる。この時、上述したように転写ローラ２０１３には、所定の電圧が印加され、これによって中間転写体２０１０上のトナー画像は転写材２０２７に転写される。
【００２４】
また、以上の印刷動作において、本実施形態では、２種類の解像度の印刷を行うことが可能であり、解像度が６００ＤＰＩの場合と１２００ＤＰＩの２通り解像度で印刷を行うことができる。解像度が１２００ＤＰＩの印刷の場合、感光ドラム２００５に対するレーザ光の露光走査の速度は６００ＤＰＩの場合と同じものとし１ライン当たりのドット数を倍にする。また、中間転写体２０１０の回転速度を６００ＤＰＩの場合の１／２として副走査方向の６００ＤＰＩの１／２にすることによって、副走査方向のドット密度を倍にする。
【００２５】
以上のようにしてトナー像が転写された転写材２０２７は、定着機構まで搬送されトナー像の定着が行われる。この定着機構は、転写材２０２７に転写されたトナー像を熱圧によって定着させるための定着器２０１４を有し、定着器２０１４には、転写材２０２７に熱を加えるための定着ローラ２０１５と、転写材２０２７を定着ローラ２０１５に圧接させるための加圧ローラ２０１６とが設けられている。これらの各ローラは中空のローラであり、その内部にそれぞれヒータ２０１７，２０１８を有している。また、これらローラが回転駆動されることによって同時に転写材２０２７の搬送も行われる。それぞれのローラ２０１５，２０１６に内蔵されるヒータ２０１７，２０１８は、所定の定着温度が得られるようにエンジン制御部１０４９によって加熱駆動が制御される。本実施形態のＬＢＰ１０３０は、普通紙、厚紙等、用紙の種類に応じて定着器２０１４の通過時間を変更する。例えば、厚紙の場合には、材質の違いから、普通紙にトナーを定着させるよりもトナー像の加熱時間を長くする必要があるため通過時間を長くする。また、これに代わってもしくはこれとともに、定着器２０１４の加熱温度を切り替えてもよい。
【００２６】
印刷用紙（転写材）の給紙機構は、転写材２０２７を収容するカセット２０２４と手差し用トレイ２０２５とを有し、カセット２０２４の印刷用紙または手差しトレイ２０２５の印刷用紙を選択的に給紙するように構成されている。カセット２０２４は筐体２００１内に装着され、このカセット２０２４には、その内部の仕切り板（図示せず）の設定位置に応じて印刷用紙２０２７のサイズを電気的に検知するサイズ検知機構が設けられている。カセット２０２４からは、ピックアップローラ２０２６が回転駆動されることにより、最上の印刷用紙から１枚単位で給紙が行われ、印刷用紙２０２７は給紙ローラ２０３８まで搬送される。ピックアップローラ２０２６は、給紙毎に駆動手段（図示せず）によって間欠的に回転駆動され、そのカム部によって１回転で１枚の印刷用紙の給紙が可能となる。
【００２７】
給紙ローラ２０３８は、印刷用紙２０２７をその先端部がレジストシャッタ２０２８に対応する位置まで搬送し、レジストシャッタ２０２８は、給紙された印刷用紙２０２７の押圧及びその解除によって、その印刷用紙の給紙停止及びその解除を行う。このようなレジストシャッタ２０２８の動作は、レーザ光の主走査に同期するように制御される。
【００２８】
以上のカセット２０２４からの給紙に対し、手差しトレイ２０２５はその一部が筐体２００１の外部に突き出すように設けられ、ユーザによって手差しトレイ２０２５に搭載された印刷用紙は、給紙ローラ２０２９でレジストシャッタ２０２８に向けて給紙される。
【００２９】
次に、印刷用紙の搬送処理機構は、レジストシャッタ２０２８による押圧が解除された印刷用紙を中間転写体２０１０の位置へ搬送する搬送ローラ２０３９と、定着器２０１４から排出された印刷用紙を筐体２００１上部に形成された排紙トレイＦＤまで導くための各フラッパ２０３６，２０３７と各搬送ローラ２０４０，２０４１，２０４２と、これらのローラを駆動するための駆動手段（図示せず）とを備えている。
【００３０】
フラッパ２０３７は、その切り替え動作によって、筐体２００１上部に形成された排紙トレイＦＤ、または筐体２００１側面に形成された排紙トレイＦＵのいずれかに排紙先を切り替えることができる。
【００３１】
また、フラッパ２０３６の切り替え動作によって、両面印刷を行うことができる。すなわち、２０３０は反転給紙ユニットであり、搬送ローラ２０３１，２０３２，２０３３、およびフラッパ２０３４を備える。両面印刷を行いフェースダウンで印刷する場合（排紙トレイＦＤにおいて印刷用紙の表面が図中下、裏面が図中上に来るような両面印刷）は、転写材２０２７にはまず裏面の印刷から行われる。この場合、カセット２０２４から給紙された場合（図中矢印（１））、まず裏面が印字され（矢印（２））、次いでフラッパ２０３６の搬送切り替えおよび搬送ローラ２０３５，２０３１の搬送によって反転給紙ユニット２０３０へ導かれる（矢印（３），（４））。そして、不図示のセンサがこの搬送される転写材２０２７の後端を検知すると、搬送ローラ２０３１を逆回転させ、また、フラッパ２０３４を切り替えることにより、転写材２０２７を搬送ローラ２０３２の搬送路に搬送し、反転給紙ユニット２０３０内に給紙カセット２０２４と平行に納められる（矢印（５），（６），（７））。この時、転写材２０２７の印刷が行われた面（裏面）は、図中上を向いた状態となっている。その後、給紙が反転給紙ユニット２０３０から行われる旨指定すると、搬送ローラ２０３３、給紙ローラ２０３８を経て（矢印（８））、再度、中間転写体２０１０、定着器２０１４を通り表面が印字され（矢印（９））、フラッパ２０３６，２０３７を切り替えることによって、排紙トレイＦＤ（矢印（１０））、あるいは、排紙トレイＦＵ（矢印（１１））へ排紙されることになる。一方、両面印刷を行いフェースアップで印刷する場合（排紙トレイＦＵに排紙する場合に用紙の表面が図中下、裏面が図中上に来るような両面印刷）は、一例として、まず反転給紙ユニット２０３０に排紙し、その後、表面を印刷して、さらに、反転給紙ユニット２０３０から給紙して裏面を印刷する。
【００３２】
ＬＢＰ１０３０の筐体２００１には、操作パネル部１０３７を構成する操作パネル２００２が取り付けられている。操作パネル２００２には、指示入力操作のためのスイッチ群、情報表示のためのＬＥＤ表示器やＬＣＤ表示器が設けられている。また、筐体２００１内には、印刷データ等の記憶に利用される外部メモリ部１０３８を構成する外部メモリユニット２０４３が取り付けられている。
【００３３】
以上示したＬＢＰ１０３０の構成に基づく印刷処理もしくは印刷の動作について以下に説明する。
【００３４】
ホストコンピュータ１００１において、ユーザの指示によって印刷の実行が指示されると、ホストコンピュータ１００１から通信線１００２を介して印刷のための制御コードや印刷データが送られ、これらは、ホストＩ／Ｆ部１０４８を介して入出力バッファ１０３２に一時的に格納された後、所定のタイミングでＲＡＭ１０３５に格納される。
【００３５】
ＣＰＵ１０３３は、プログラムＲＯＭ１０３４に格納されたプログラムである画像情報生成１０４１によって、画像データの処理を行い、図形や文字、イメージデータ等（画像オブジェクト）についての画像情報を生成する。
【００３６】
この画像情報の生成では、ホストコンピュータ１００１から送られたＲ，Ｇ，Ｂの輝度データをトナーの各色に対応したＣ，Ｍ，Ｙ，Ｋの濃度データに変換し、また、最終的にビットマップデータを得るための２値化を行う必要があり、そのための輝度濃度変換，色修正，ＵＣＲ，出力γ補正，２値化等の画像処理が行われる。本実施形態のキャリブレーションは、これらの画像処理のうち、出力γ補正に用いるテーブルに対して行うものである。なお、これらの画像処理で用いられるテーブルは、印刷時にはＲＡＭ１０３５に格納されて用いられる。
【００３７】
１ページ内の全ての画像オブジェクトの画像情報を生成すると、この情報はビットマップ画像展開／転送部１０４０において実際に印刷するビットマップ画像に展開された後、印刷エンジン部１０３６に送られる。印刷エンジン部１０３６では、このビットマップデータに基づいて、上述したように印刷動作が行われる。例えば、片面印刷の場合には、カセット２０２４より給紙がなされ、これに印刷が行われた後、排紙口ＦＤより排紙される。また、両面印刷の場合で、フェースダウンで印字を行う場合には、裏面の画像が先にビットマップ画像展開／転送部１０４０に展開され、展開された裏面のビットマップ画像が印刷エンジン部１０３６に送られるとともに、カセット２０２４より給紙が行われてその印刷用紙２０２７に印刷が行われた後、反転給紙ユニット２０３０へ排紙される。続いて、表面の画像がビットマップ画像展開／転送部１０４０に展開され、展開された表面のビットマップ画像が印刷エンジン部１０３６に送られることにより反転給紙ユニット２０３０より給紙された印刷用紙の表面に印刷が行われた後、排紙口ＦＤへ排紙が行われる。
【００３８】
次に、本実施形態のキャリブレーションを実行を管理するプログラムである色調整実行／中断１０４４の処理について説明する。
【００３９】
本実施形態のような、カラープリンタの場合、例えばイエロー（Ｙ）、マゼンタ（Ｍ）、シアン（Ｃ）、黒（Ｋ）の４色のトナーを用いてフルカラー可視像を形成する。この場合、前述したように、このトナーや現像器、感光ドラム等の性能が、製造してからの経年変化や気温、使用頻度等、種々の要因で変化し、その結果として、印刷される画像の濃度、色合いといった印刷特性が変化することがある。
【００４０】
そこで、この印刷特性を所定のものに維持する目的で、予め決められた条件に合致するとキャリブレーションが実行される。条件とは、起動時、所定時間印刷を行わなかった場合、所定印刷枚数毎、環境変動があった場合である。キャリブレーションの方法としては、中間転写体２０１０上に通常のフルカラー印刷と同様な手順によって、Ｃ，Ｍ，Ｙ，Ｋのそれぞれについて所定のパッチ画像を形成するよう本実施形態のＬＢＰ１０３０を制御し、パッチの濃度を色センサ２０４４（図２参照）を用いて検出する。色調整実行／中断１０４４はさらにその検出濃度に基づき、画像情報生成１０４１で用いる、上述したＣ，Ｍ，Ｙ，Ｋそれぞれのγ補正テーブルの内容を更新する処理を行う。
【００４１】
また、これらの処理を中断する指示が来た場合には、中断処理を行う。
【００４２】
なお、キャリブレーションの内容は上述のものに限られないことは勿論であり、キャリブレーションの対象となる処理を初めとして公知のキャリブレーションのいずれを用いた構成であっても構わない。
【００４３】
図３は、本実施形態のレーザビームプリンタにおけるデータ受信から印刷処理実行までを示すフローチャートである。
【００４４】
まず、ホストコンピュータ１００１から印刷データを受信すると、ステップ３００でデータは解析処理され、データに従い画像情報生成１０４１によって画像データが生成されるが、ビットマップ画像展開／転送部１０４０に送られる前に、ステップ３０１で、キャリブレーション中かどうかを確認する。本実施例においては、キャリブレーションの実行と、データ受信およびデータ解析／画像情報生成は並行して処理される。ステップ３０１でキャリブレーション中であった場合には、ステップ３０２で、生成された画像データがモノクロ画像であるかどうかを判定する。ステップ３０２で、生成された画像データがモノクロ画像であった場合には、ステップ３０３で、キャリブレーションを中断し、ステップ３０４の印刷処理を実行する。
【００４５】
ステップ３０１で、キャリブレーション中でなかった場合には、ステップ３０４の印刷処理実行に移り、ステップ３０２で、生成された画像データがモノクロ画像でなかった場合には、ステップ３０５のキャリブレーション終了を待って、ステップ３０４の印刷処理実行に移る。
【００４６】
以上説明したように、本実施形態によれば、印刷を行う場合にそのプリンタがキャリブレーション中だったとしても、印刷する画像がモノクロの場合はキャリブレーションを中断し、印刷処理の実行を優先して処理する。このため、たとえばモノクロの文章レポート１ページを朝一番にプリンタを起動し出力するような場合には、印刷品位をそれ程必要としないモノクロ文章レポート印刷の場合は、キャリブレーションを中断して、印刷結果を得ることを優先する。中断されたキャリブレーションは、色調整実行／中断１０４４によって、その後にキャリブレーションが実行されるよう処理することで、モノクロ印刷を行う場合の印刷品位が無制限に劣化することを防止できる。
【００４７】
〈第２の実施形態〉
第１の実施形態においては、キャリブレーションを中断する条件として、モノクロデータであった場合について説明を行ったが、文字中心のデータにおいても、注意を促すための色文字の使用や修飾、また、はんこのような、必ずしも色の厳密性を必要としないデータが大部分を占めている。
【００４８】
はんこのような、文字ではないが、色の厳密性を必要としないデータについては、事前に登録データとして、プリンタ内に登録記憶する方法を用い、キャリブレーションが必須でないという情報と共に管理することにより、印字時に必須でないキャリブレーションを回避し、高速に、印刷結果を得ることが可能となる。
【００４９】
以下、図４、図５を用いて、第２の実施形態のレーザビームプリンタにおけるデータ受信から印刷処理実行までの説明を行う。
【００５０】
図４は色調整実行／中断１０４４の詳細構成図である。
【００５１】
１０４４ａは、所定の条件に合致した場合キャリブレーションを実行するキャリブレーション実行部（色調整実行部）、１０４４ｂは、キャリブレーションの実行を中断するかどうかを判定するキャリブレーション判定部（色調整判定部）、１０４４ｃは、１０４４の判定結果に従い、キャリブレーション実行を中断するキャリブレーション中断部（色調整中断部）である。
【００５２】
図５は、第２の実施形態のレーザビームプリンタにおけるデータ受信から印刷処理実行までを示すフローチャートである。
【００５３】
まず、ホストコンピュータ１００１から印刷データを受信すると、ステップ４００でデータは解析処理され、データに従い画像情報生成１０４１によって画像データが生成されるが、ビットマップ画像展開／転送部１０４０に送られる前に、ステップ４０１で、キャリブレーション中かどうかを確認する。本実施例においても同様に、キャリブレーションの実行と、データ受信およびデータ解析／画像情報生成は並行して処理される。ステップ４０１でキャリブレーション実行部１０４４ａによるキャリブレーション中であった場合には、ステップ４０２で、生成された画像データについてキャリブレーションが必須なデータであるかどうかをキャリブレーション判定部１０４４ｂが判定し、キャリブレーションが必須なデータである場合には、キャリブレーションキャンセルフラグをＯＦＦに設定し、キャリブレーションが必須なデータでない場合には、キャリブレーションキャンセルフラグをＯＮに設定する。
【００５４】
次に、ステップ４０３で、ステップ４０２で設定されたキャリブレーションキャンセルフラグを参照し、キャリブレーションキャンセルフラグがＯＮであるかどうかを判定する。ステップ４０３で、キャリブレーションキャンセルフラグがＯＮであった場合には、ステップ４０４で、キャリブレーション中断部１０４４ｃによりキャリブレーションを中断し、ステップ４０５でキャリブレーションキャンセルフラグをＯＦＦ（リセット）にする。そして、ステップ４０６の印刷処理を実行する。
【００５５】
ステップ４０１で、キャリブレーション中でなかった場合には、ステップ４０６の印刷処理実行に移り、ステップ４０３で、キャリブレーションキャンセルフラグがＯＦＦであった場合には、ステップ４０７のキャリブレーション終了を待って、ステップ４０６の印刷処理実行に移る。
【００５６】
図６は、キャリブレーション判定部１０４４ｂの判定処理についてのフローチャートである。図を用いてキャリブレーションキャンセルフラグの設定処理について説明を行う。
【００５７】
まずステップ５０１において、生成された画像データがモノクロデータであった場合には、ステップ５０６でキャリブレーションキャンセルフラグをＯＮに設定する。次に、ステップ５０１でモノクロデータでなかった場合には、ステップ５０２で、文字データのみであるかどうかを判定する。文字データのみであった場合には、ステップ５０６でキャリブレーションキャンセルフラグをＯＮに設定する。ステップ５０２で文字データのみでなかった場合には、ステップ５０３で、文字データと予めホストコンピュータ１００１から登録データとして受信され、ＲＡＭ１０３５上に管理情報と共に記憶されているデータの画像を、出力指示した制御データとで構成されている場合には、ステップ５０５で、登録データの管理部（不図示）のキャリブレーション必須フラグとして格納してある、キャリブレーションが必須であるかどうかの情報を確認し、キャリブレーションが必須でない登録データであれば、（必須フラグＯＦＦ）データでない場合には、ステップ５０６でキャリブレーションキャンセルフラグをＯＮに設定する。ステップ５０３で文字と登録データだけでないと判定された場合、および、ステップ５０５で登録データのキャリブレーション必須フラグがＯＮであったばあいには、ステップ５０７で、キャリブレーションキャンセルフラグをＯＦＦに設定する。
【００５８】
以上のように、本発明によれば、モノクロデータだけでなく、キャリブレーションが必須でないデータを印刷する場合には、キャリブレーションの実行中だったとしても、処理を中断し、印刷処理を優先して行うことが可能となる。
【００５９】
また、キャリブレーションが必要かどうかの条件については、ここに挙げた条件のみでなく、各ユーザ環境によっても異なるため、各環境に合わせた判定条件を適用することも有用である。
【００６０】
また、これらの判定条件については、外部から制御データもしくは制御プログラムとして供給することも、より効果的である。
【００６１】
〈第３の実施形態〉
第１、第２の実施形態においては、キャリブレーションを中断する条件として、データの内容を判定するよう構成し、説明を行ったが、予めドラフトモード指定があった場合、もしくは省トナーモード指定があった場合等の、高品位な色を必要としないと思われるモード設定がされていた場合にも、同様に、キャリブレーション中の印刷時には、キャリブレーションを中断処理することで、ユーザのニーズに合ったプリント環境を提供可能となる。
【図面の簡単な説明】
【００６２】
【図１】本発明の一実施形態に係るプリンタの構成を主に示すブロック図
【図２】上記プリンタの機械的構造を示す模式的断面図
【図３】本発明の第１の実施形態に係る印刷処理に関する処理手順を示すフローチャート
【図４】本発明の第２の実施形態に係る色調整処理部の構成を示すブロック図
【図５】本発明の第２の実施形態に係る印刷処理に関する処理手順を示すフローチャート
【図６】本発明の第２の実施形態に係る、キャリブレーション判定部１０４４ｂの判定処理手順を示すフローチャート
【符号の説明】
【００６３】
１００１  ホストコンピュータ
１００２  通信線
１０３０  カラーレーザビームプリンタ（ＬＢＰ）
１０３１  プリンタコントローラ
１０３２  入出力バッファ
１０３３  ＣＰＵ
１０３４  プログラムＲＯＭ
１０３５  ＲＡＭ
１０３６  印刷エンジン部
１０３７  操作パネル部
１０３８  外部メモリ部
１０３９  メモリＩ／Ｆ部
１０４０  ビットマップ画像展開／転送部
１０４１  画像情報生成
１０４２  給排紙口設定
１０４３  システムバス
１０４４  色調整実行／中断
１０４４ａ  キャリブレーション実行部（色調整実行部）
１０４４ｂ  キャリブレーション判定部（色調整判定部）
１０４４ｃ  キャリブレーション中断部（色調整中断部）
１０４６  エンジンＩ／Ｆ部
１０４７  パネルＩ／Ｆ部
１０４８  ホストＩ／Ｆ部
１０４９  エンジン制御部
２００１  筐体
２００２  操作パネル
２００３  制御ボード収納部
２００４  ドラムユニット
２００５  感光ドラム
２００６  レーザドライバ
２００７  回転多面鏡
２００８  反射ミラー
２００９  ビームディテクタ
２０１０  中間転写体
２０１１  現像ロータリ
２０１２Ｙ  イエロー現像器
２０１２Ｍ  マゼンタ現像器
２０１２Ｃ  シアン現像器
２０１２Ｋ  黒現像器
２０１３  転写ローラ
２０１４  定着器
２０１５  定着ローラ
２０１６  加圧ローラ
２０１７，２０１８  ヒータ
２０２０  レーザスキャナ部
２０２１  前露光ランプ
２０２２  クリーナ
２０２３  一次帯電器
２０２４  カセット
２０２５  手差し用トレイ
２０２６  ピックアップローラ
２０２７  転写材（印刷用紙）
２０２８  レジストシャッタ
２０２９  給紙ローラ
２０３０  反転給紙ユニット
２０３１，２０３２，２０３３  搬送ローラ
２０３４  フラッパ
２０３６，２０３７  フラッパ
２０３８  給紙ローラ
２０３９，２０４０，２０４１，２０４２  搬送ローラ
２０４３  外部メモリユニット
２０４４  色センサ
ＦＤ，ＦＵ  排紙トレイ
【図１】
2005132030.tif 000003
【図２】
2005132030.tif 000004
【図３】
2005132030.tif 000005
【図４】
2005132030.tif 000006
【図５】
2005132030.tif 000007
【図６】
2005132030.tif 000008